(57)【要約】【課題】複数の通信制御部を有し、通信部を制御して外部機器と通信を行う画像表示装置を提供する。【解決手段】画像表示装置（プロジェクター１）は、画像情報に基づいて画像を表示する画像表示部（画像投写部１０）と、第１の外部機器（ＰＣ１００）とネットワーク（無線ＬＡＮ）を介して通信を行うＵＳＢデバイスである通信部（無線ＬＡＮモジュール３１）と、通信部を制御するＵＳＢホスト機能を有する複数の通信制御部（画像処理制御部２１、メディアプロセッサー２３）と、複数の通信制御部のうちの少なくとも１つと、通信部を接続する接続部（ＵＳＢスイッチ４１）と、を備える。【選択図】図１
2015032939.tif 000002
【特許請求の範囲】
【請求項１】
画像情報に基づいて画像を表示する画像表示部と、
第１の外部機器とネットワークを介して通信を行うＵＳＢデバイスである通信部と、
前記通信部を制御するＵＳＢホスト機能を有する複数の通信制御部と、
前記複数の通信制御部のうちの少なくとも１つと、前記通信部を接続する接続部と、
を備えることを特徴とする画像表示装置。
【請求項２】
請求項１に記載の画像表示装置であって、
前記複数の通信制御部のうち、少なくとも１つが、前記接続部により前記通信部と接続されていない場合に、接続されている場合に比べて、前記画像表示装置の消費電力を低減した低消費電力モードに移行させる制御部をさらに有することを特徴とする画像表示装置。
【請求項３】
請求項１または２に記載の画像表示装置であって、
ＵＳＢホスト機能を有する第２の外部機器を接続可能なＵＳＢポートと、
前記接続部を介し、前記ＵＳＢポートと前記通信部とを接続する接続経路を形成する経路形成部と、
をさらに有することを特徴とする画像表示装置。
【請求項４】
請求項１乃至３のいずれか一項に記載の画像表示装置であって、
前記通信部は、無線により前記第１の外部機器と通信を行うことを特徴とする画像表示装置。
【請求項５】
請求項１乃至４のいずれか一項に記載の画像表示装置であって、
前記画像表示部は、
光源と、前記光源から射出された光を、入力された画像情報に応じて変調する光変調装置と、前記光変調装置で変調された光を投写する投写レンズとを有し、
前記複数の通信制御部のうちの少なくとも１つは、前記通信部が、所定の通信手段を用いて、前記画像情報を受信する際に使用されることを特徴とする画像表示装置。
【請求項６】
請求項５に記載の画像表示装置であって、
前記所定の通信手段は、ＷｉＤｉであることを特徴とする画像表示装置。
【請求項７】
請求項５に記載の画像表示装置であって、
前記所定の通信手段は、Ｍｉｒａｃａｓｔであることを特徴とする画像表示装置。
【発明の詳細な説明】
【技術分野】
【０００１】
本発明は、画像表示装置に関する。
【背景技術】
【０００２】
従来、スタンバイ状態では動作を停止し、通常動作状態においては、ＵＳＢ（Universal Serial Bus）ホストコントローラーを制御して、ＵＳＢデバイスとの間の通信を可能にするための処理を行う第１プロセッサーと、通常動作状態では動作を停止し、スタンバイ状態においては、ＵＳＢホストコントローラーを制御して、通常動作状態に移行するための処理を行う第２プロセッサーを有する集積回路装置が知られている。この集積回路装置では、ＵＳＢホストコントローラーとＵＳＢデバイスとの間で通信可能状態を維持したまま、ＵＳＢホストコントローラーに対する制御を、第１プロセッサーと第２プロセッサーとの間で切り替えることができる（特許文献１）。ここで、ＵＳＢデバイスは、例えば、無線ＬＡＮ（Local Area Network）（ＷｉＦｉ（登録商標））通信を行う無線ＬＡＮモジュールである。
【先行技術文献】
【特許文献】
【０００３】
【特許文献１】特開２０１３−２０２９７号公報
【発明の概要】
【発明が解決しようとする課題】
【０００４】
近年、ＷｉＤｉ、Ｍｉｒａｃａｓｔ（登録商標）等の無線通信による映像転送技術（ワイヤレスディスプレイ）を用いて、画像（映像）を受信して表示を行う画像表示装置が注目されている。このような画像表示装置においては、ワイヤレスディスプレイのための専用のプロセッサーであり、ＵＳＢホストの機能を有して、無線ＬＡＮモジュールを通信制御する「メディアプロセッサー」を備える構成が一般的に採用されている。したがって、このようなメディアプロセッサーを有する構成においては、ワイヤレスディスプレイ以外の無線ＬＡＮを用いた通信や通信に基づいた画像表示を行う場合でも、メインのプロセッサー（ＣＰＵ（Central Processing Unit））は、メディアプロセッサーを介して無線ＬＡＮモジュールを制御する必要がある。しかしながら、このような場合には、既存の通信制御手順を、メディアプロセッサー経由の通信制御手順に変更しなければならないという問題があった。また、メディアプロセッサーの仕様によっては、メディアプロセッサー経由の通信制御を実現することが困難な場合もあった。さらに、このようなメディアプロセッサーを有する構成においては、ワイヤレスディスプレイ以外の無線ＬＡＮを用いた通信の場合でも、常にメディアプロセッサーを動作させておかなければならないため、消費電力を削減できないという課題もあった。
【０００５】
特許文献１に記載の集積回路装置は、無線ＬＡＮモジュールと接続されたＵＳＢホストコントローラーへのアクセスは、第１のプロセッサーおよび第２のプロセッサーがそれぞれ行う（制御する）という技術である。このため、ＵＳＢホストの機能を有して（内蔵して）、無線ＬＡＮモジュールを通信制御するメディアプロセッサーを備える構成の装置においては、対応することができなかった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像表示装置は、画像情報に基づいて画像を表示する画像表示部と、第１の外部機器とネットワークを介して通信を行うＵＳＢデバイスである通信部と、前記通信部を制御するＵＳＢホスト機能を有する複数の通信制御部と、前記複数の通信制御部のうちの少なくとも１つと、前記通信部を接続する接続部と、を備えることを特徴とする。
【０００８】
このような画像表示装置によれば、通信部は、ＵＳＢデバイスであり、第１の外部機器とネットワークを介して通信を行う。複数の通信制御部は、それぞれ通信部を制御するＵＳＢホスト機能を有する。接続部は、複数の通信制御部のうちの少なくとも１つと、通信部をＵＳＢ接続する。これにより、複数の通信制御部は、それぞれ、接続部を切り替えることで、通信部を制御して第１の外部機器と通信することが可能になる。
【０００９】
［適用例２］上記適用例に係る画像表示装置において、前記複数の通信制御部のうち、少なくとも１つが、前記接続部により前記通信部と接続されていない場合に、接続されている場合に比べて、前記画像表示装置の消費電力を低減した低消費電力モードに移行させる制御部をさらに有することを特徴とする。
【００１０】
このような画像表示装置によれば、複数の通信制御部のうち、少なくとも１つが、接続部により通信部と接続されていないときに、低消費電力モードとなる。つまり、接続部に接続されていない通信制御部の動作を停止や休止することが可能になるため、消費電力を低減することが可能になる。
【００１１】
［適用例３］上記適用例に係る画像表示装置において、ＵＳＢホスト機能を有する第２の外部機器を接続可能なＵＳＢポートと、前記接続部を介し、前記ＵＳＢポートと前記通信部とを接続する接続経路を形成する経路形成部と、をさらに有することを特徴とする。
【００１２】
このような画像表示装置によれば、ＵＳＢポートは、ＵＳＢホスト機能を有する第２の外部機器を接続可能なポートである。経路形成部は、接続部を介し、ＵＳＢポートと通信部とを接続する接続経路を形成する。これにより、第２の外部機器をホストとして、ＵＳＢデバイスである通信部にアクセスすることが可能になる。
【００１３】
［適用例４］上記適用例に係る画像表示装置において、前記通信部は、無線により前記第１の外部機器と通信を行うことを特徴とする。
【００１４】
このような画像表示装置によれば、無線のネットワークを介して第１の外部機器と通信が可能となる。
【００１５】
［適用例５］上記適用例に係る画像表示装置において、前記画像表示部は、光源と、前記光源から射出された光を、入力された画像情報に応じて変調する光変調装置と、前記光変調装置で変調された光を投写する投写レンズとを有し、前記複数の通信制御部のうちの少なくとも１つは、前記通信部が、所定の通信手段を用いて、前記画像情報を受信する際に使用されることを特徴とする。
【００１６】
このような画像表示装置によれば、プロジェクターの構成を有している。そして、複数の通信制御部のうちの少なくとも１つは、所定の通信手段を用いて、通信部によって画像情報の受信を行う際に使用される。これにより、複数の通信制御部のうちの１つによって、所定の通信手段による画像情報の受信を行うことが可能となる。
【００１７】
［適用例６］上記適用例に係る画像表示装置において、前記所定の通信手段は、ＷｉＤｉであることを特徴とする。
【００１８】
このような画像表示装置によれば、所定の通信手段は、ＷｉＤｉである。よって、ワイヤレスディスプレイを実現することができる。
【００１９】
［適用例７］上記適用例に係る画像表示装置において、前記所定の通信手段は、Ｍｉｒａｃａｓｔであることを特徴とする。
【００２０】
このような画像表示装置によれば、所定の通信手段は、Ｍｉｒａｃａｓｔである。よって、ワイヤレスディスプレイを実現することができる。
【００２１】
また、上述した画像表示装置が、画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢメモリー等）等、前記コンピューターが読み取り可能な種々の媒体を利用することができる。
【図面の簡単な説明】
【００２２】
【図１】実施形態に係るプロジェクターの概略構成を示すブロック図。
【図２】ＵＳＢによって接続されているデバイスの構成についての説明図。
【図３】メディアプロセッサーから無線ＬＡＮモジュールへの接続経路の説明図。
【図４】画像処理制御部から無線ＬＡＮモジュールへの接続経路の説明図。
【図５】ＵＳＢポートから無線ＬＡＮモジュールへの接続経路の説明図。
【図６】ＵＳＢポートから画像処理制御部への接続経路の説明図。
【発明を実施するための形態】
【００２３】
（実施形態）
以下、画像表示装置の実施形態として、光源から射出された光を画像情報に基づいて変調し、この変調された光を外部のスクリーン等に投写して画像を表示するプロジェクターについて、図面を参照して説明する。
【００２４】
図１は、本実施形態に係るプロジェクターの概略構成を示すブロック図である。
図１に示すように、プロジェクター１は、画像表示部としての画像投写部１０、画像情報入力部２０、複数の通信制御部のうちの１つとしての画像処理制御部２１、操作受付部２２、複数の通信制御部のうちの１つとしてのメディアプロセッサー２３、通信部としての無線ＬＡＮモジュール３１、ＵＳＢポート３２、接続部としてのＵＳＢスイッチ４１、ＵＳＢハブ４３等を備えている。また、プロジェクター１の外部には、第１の外部機器としてのパーソナルコンピューター（ＰＣ）１００と、第２の外部機器としてのパーソナルコンピューター（ＰＣ）２００とが表されている。
【００２５】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００２６】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２７】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００２８】
画像情報入力部２０は、複数の入力端子を備えており、これらの入力端子には、ビデオ再生装置やパーソナルコンピューター等、図示しない外部の画像供給装置から各種形式の画像情報（画像信号）が入力される。また、メディアプロセッサー２３からの画像情報も入力される。本実施形態では、メディアプロセッサー２３からの画像情報は、ＨＤＭＩ（登録商標）（High−Definition Multimedia Interface）形式で入力される。画像処理制御部２１からの指示に基づき、画像情報入力部２０は画像情報を選択し、選択した画像情報を画像処理部２１ａに出力する。
【００２９】
画像処理制御部２１は、画像処理部２１ａおよび制御部２１ｂを有するＳＯＣ（System−on−a−chip）として構成されている。なお、画像処理制御部２１は、ＳＯＣに限定するものではなく、ディスクリート部品によって構成されていてもよい。
【００３０】
画像処理部２１ａは、画像情報入力部２０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部２１ａは、制御部２１ｂの指示に基づいて、変換した画像情報に対して、明るさ、コントラスト、シャープネス、色合い等の画質を調整するための画質調整処理等を行う。また、画像処理部２１ａは、メニュー画像等のＯＳＤ（オンスクリーンディスプレイ）画像を、画像に重畳することもできる。画像処理部２１ａによって画像処理がなされた画像情報は、液晶駆動部１４に出力される。
【００３１】
制御部２１ｂは、ＣＰＵや、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。また、制御部２１ｂは、ＵＳＢホストの機能を有しており、ＵＳＢハブ４３およびＵＳＢスイッチ４１を介して、無線ＬＡＮモジュール３１を通信制御する。そして、制御部２１ｂは、無線ＬＡＮモジュール３１が受信した情報を入力して処理を行う。
【００３２】
液晶駆動部１４が、画像処理制御部２１から入力される画像情報に従って液晶ライトバルブ１２Ｒ，１２Ｇ，１２Ｂを駆動すると、光源装置１１から射出された光は、液晶ライトバルブ１２Ｒ，１２Ｇ，１２Ｂによって画像情報に応じた画像光に変調され、この画像光が投写レンズ１３から投写される。
【００３３】
操作受付部２２は、ユーザーのキー操作を受け付ける操作パネルであり、ユーザーがプロジェクター１に対して各種指示を行うための複数の操作キーを備えている。本実施形態の操作受付部２２が備える操作キーとしては、電源のオン・オフを切り替えるための電源キー、入力された画像情報を切り替えるための入力切替キー、各種設定用のメニュー画像を表示させるメニューキー、メニュー画像における項目の選択等に用いられる方向キー、選択した項目を確定させるための決定キー等がある。
【００３４】
ユーザーが操作受付部２２の各種操作キーを操作すると、操作受付部２２は、この操作を受け付けて、操作された操作キーに対応する制御信号を、画像処理制御部２１の制御部２１ｂに出力する。そして、画像処理制御部２１の制御部２１ｂは、操作受付部２２から制御信号が入力されると、入力された制御信号に基づく処理を行って、プロジェクター１の動作を制御する。なお、操作受付部２２の代わりに、あるいは操作受付部２２とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して画像処理制御部２１の制御部２１ｂに伝達する。
【００３５】
メディアプロセッサー２３は、ワイヤレスディスプレイを実現するための機能を有するプロセッサーである。メディアプロセッサー２３は、ＵＳＢホストの機能を有しており、ＵＳＢスイッチ４１を介して、無線ＬＡＮモジュール３１を通信制御する。そして、メディアプロセッサー２３は、無線ＬＡＮモジュール３１が、ＷｉＤｉやＭｉｒａｃａｓｔ等のワイヤレスディスプレイによって受信した画像情報（映像情報）を入力し、ＨＤＭＩ（登録商標）形式の画像情報に変換して、画像情報入力部２０に出力する。なお、メディアプロセッサー２３は、画像処理制御部２１の制御部２１ｂの指示に基づいて、動作する。
【００３６】
無線ＬＡＮモジュール３１は、ＵＳＢデバイスであって、無線ＬＡＮ通信機能を有するモジュールである。無線ＬＡＮモジュール３１は、後述するＵＳＢスイッチ４１によってメディアプロセッサー２３と接続された場合に、ＵＳＢバスを介して、ＵＳＢホスト機能を有するメディアプロセッサー２３との通信を行う。無線ＬＡＮモジュール３１は、ＷｉＤｉやＭｉｒａｃａｓｔといったワイヤレスディスプレイ規格に対応したＰＣ１００との間で、無線による画像情報のデータ転送を行い、受信した画像情報を、ＵＳＢバスを介してメディアプロセッサー２３に送信する。また、無線ＬＡＮモジュール３１は、出荷国別設定記憶部３１ａを有している。出荷国別設定記憶部３１ａは、不揮発性メモリーによって構成されており、プロジェクター１の出荷国別の設定情報を記憶することができる。
【００３７】
無線ＬＡＮモジュール３１は、ＵＳＢスイッチ４１によって、ＵＳＢハブ４３を介して画像処理制御部２１と接続された場合に、ＵＳＢバスを介して、ＵＳＢホスト機能を有する画像処理制御部２１との通信を行う。無線ＬＡＮモジュール３１は、ＰＣ１００との間で、無線による各種情報のデータ転送を行い、受信した情報を、ＵＳＢバスを介して画像処理制御部２１に送信する。
【００３８】
ＵＳＢポート３２は、ＵＳＢのタイプＢの端子である。ＵＳＢポート３２は、ＵＳＢホスト機能を有するＰＣ２００が接続されて、プロジェクター１とＵＳＢの通信を行う。本実施形態では、後述するＵＳＢハブ４３およびＵＳＢスイッチ４１を介して、無線ＬＡＮモジュール３１に接続することが可能である。これにより、ＰＣ２００によって、無線ＬＡＮモジュール３１の出荷国別設定記憶部３１ａの設定情報を書き換えることが可能である。
【００３９】
ＵＳＢスイッチ４１は、ＵＳＢのバススイッチである。ＵＳＢスイッチ４１は、無線ＬＡＮモジュール３１とメディアプロセッサー２３とを接続した状態、または、ＵＳＢハブ４３を介して無線ＬＡＮモジュール３１と画像処理制御部２１とを接続した状態に切り替えることが可能である。また、どちらとも接続しない状態も実現できる。ＵＳＢスイッチ４１を切り替える際には、無線ＬＡＮモジュール３１を停止させた状態で切り替えを行う。なお、図示しないが、ＵＳＢスイッチ４１は、画像処理制御部２１の制御部２１ｂからの指示に基づいて、切り替え制御される。
【００４０】
ＵＳＢハブ４３は、ＵＳＢのハブである。本実施形態のＵＳＢハブ４３は、２台のＵＳＢホストでＵＳＢデバイスを共用することが可能なハブである。ＵＳＢハブ４３は、２つのＤｏｗｎｓｔｒｅａｍポートと２つのＵｐｓｔｒｅａｍポートを有している。各Ｄｏｗｎｓｔｒｅａｍポートは２つのＵｐｓｔｒｅａｍポートのいずれかに電気的に接続することが可能である。接続先は任意に設定可能であり、且つダイナミックに変更することが可能である。なお、ＤｏｗｎｓｔｒｅａｍポートとＵｐｓｔｒｅａｍポートの数は、これに限定するものではなく、それぞれ２つ以上であればよい。
【００４１】
ここで、ＵＳＢによって接続されているデバイスの構成について説明する。
図２は、ＵＳＢによって接続されているデバイスの構成についての説明図である。
【００４２】
図２に示すように、画像処理制御部２１は、ＵＳＢホストとＵＳＢデバイスの機能を有している。メディアプロセッサー２３は、ＵＳＢホスト機能を有している。無線ＬＡＮモジュール３１は、ＵＳＢのＡタイプの端子を有するＵＳＢデバイスである。ＵＳＢポート３２は、ＵＳＢのＢタイプの端子である。ＵＳＢスイッチ４１は、ＵＳＢ０端子、ＵＳＢ１端子、およびＵＳＢ２端子を有している。ＵＳＢスイッチ４１では、ＵＳＢ０端子をＵＳＢ１、またはＵＳＢ２のどちらか一方、または、どちらとも接続しない状態を実現できる。ＵＳＢハブ４３は、上述したように、２つのＤｏｗｎｓｔｒｅａｍポートと２つのＵｐｓｔｒｅａｍポートを有している。なお、上述した無線ＬＡＮモジュール３１は、ＵＳＢのＡタイプの端子を有するモジュールとしているが、これには限定されない。無線ＬＡＮモジュール３１が内部的に接続される場合には、端子の形状は任意である。また、プリント基板上の配線により、直接接続されていてもよい。
【００４３】
メディアプロセッサー２３のＵＳＢホストは、ＵＳＢスイッチ４１のＵＳＢ１端子に接続されている。画像処理制御部２１のＵＳＢホストは、ＵＳＢハブ４３のＵＳＢＵｐ１（「Ｕｐ」は「Ｕｐｓｔｒｅａｍ」の略）に接続されている。画像処理制御部２１のＵＳＢデバイスは、ＵＳＢハブ４３のＵＳＢＤｏｗｎ２（「Ｄｏｗｎ」は「Ｄｏｗｎｓｔｒｅａｍ」の略）に接続されている。
【００４４】
無線ＬＡＮモジュール３１のＵＳＢのＡタイプの端子は、ＵＳＢスイッチ４１のＵＳＢ０端子に接続されている。ＵＳＢスイッチ４１のＵＳＢ２端子は、ＵＳＢハブ４３のＵＳＢＤｏｗｎ２に接続されている。ＵＳＢポート３２のＵＳＢのＢタイプの端子は、ＵＳＢハブ４３のＵＳＢＵｐ２に接続されている。
【００４５】
次に、ＵＳＢの接続経路を切り替えたときの動作を実施例として説明する。
【００４６】
（実施例１）
まず、メディアプロセッサー２３から無線ＬＡＮモジュール３１への接続経路を形成する場合について説明する。
図３は、メディアプロセッサー２３から無線ＬＡＮモジュール３１への接続経路の説明図である。
【００４７】
ＵＳＢスイッチ４１のＵＳＢ０端子とＵＳＢ１端子とを接続すると、図３に示すように、メディアプロセッサー２３と無線ＬＡＮモジュール３１とが接続される。これにより、メディアプロセッサー２３は、無線ＬＡＮモジュール３１を通信制御する。そして、メディアプロセッサー２３は、無線ＬＡＮモジュール３１が、ワイヤレスディスプレイによって受信した画像情報を入力し、ＨＤＭＩ（登録商標）形式の画像情報に変換して、画像情報入力部２０に出力する。これによって、ＷｉＤｉ、Ｍｉｒａｃａｓｔ等のワイヤレスディスプレイが実現できる。
【００４８】
（実施例２）
次に、画像処理制御部２１から無線ＬＡＮモジュール３１への接続経路を形成する場合について説明する。
図４は、画像処理制御部２１から無線ＬＡＮモジュール３１への接続経路の説明図である。
【００４９】
ＵＳＢスイッチ４１のＵＳＢ０端子とＵＳＢ２端子とを接続し、ＵＳＢハブ４３のＵＳＢＵｐ１とＵＳＢＤｏｗｎ１とが接続されると、図４に示すようにＵＳＢハブ４３を介して、画像処理制御部２１と無線ＬＡＮモジュール３１とが接続される。これにより、画像処理制御部２１は、無線ＬＡＮモジュール３１を通信制御する。そして、画像処理制御部２１は、無線ＬＡＮモジュール３１が受信した情報を入力し、情報に応じた処理を行うことができる。例えば、ＰＣ１００から受信した情報に応じて、プロジェクター１を制御したり、所定の画像を投写したりすることが可能である。また、ＰＣ１００の代わりに、スマートフォンやタブレットＰＣ（いずれも図示せず）等から情報を受信し、画像の投写を行うことも可能である。
【００５０】
本実施例の状態では、メディアプロセッサー２３の動作を停止（休止）することも可能である。これにより、消費電力を低減することが可能になる。また、プロジェクター１は、メディアプロセッサー２３や画像投写部１０等の動作を停止させて、プロジェクター１をスタンバイ状態とすることが可能である。そして、スタンバイ状態において、無線ＬＡＮモジュール３１が所定の起動情報を受信した場合に、画像処理制御部２１が、プロジェクター１全体を起動させることが可能である。本実施形態では、画像処理制御部２１の制御部２１ｂが、メディアプロセッサー２３の動作を停止させる。また、このようなメディアプロセッサー２３を停止（休止）させた状態が、低消費電力モードに相当する。
【００５１】
（実施例３）
次に、ＵＳＢポート３２から無線ＬＡＮモジュール３１への接続経路を形成する場合について説明する。
図５は、ＵＳＢポート３２から無線ＬＡＮモジュール３１への接続経路の説明図である。
【００５２】
ＵＳＢスイッチ４１のＵＳＢ０端子とＵＳＢ２端子とを接続し、ＵＳＢハブ４３のＵＳＢＵｐ２とＵＳＢＤｏｗｎ１とが接続されると、図５に示すように、ＵＳＢポート３２と無線ＬＡＮモジュール３１とが接続される。これにより、ＵＳＢポート３２に、ＵＳＢホスト機能を有するＰＣ２００を接続することで、ＰＣ２００から無線ＬＡＮモジュール３１にアクセスすることが可能となる。そして、ＰＣ２００によって、無線ＬＡＮモジュール３１の出荷国別設定記憶部３１ａの設定情報を書き換えることが可能である。このように、ＵＳＢスイッチ４１を制御して、ＵＳＢポート３２と無線ＬＡＮモジュール３１とを接続させる制御部２１ｂが、経路形成部に相当する。
【００５３】
（実施例４）
次に、ＵＳＢポート３２から画像処理制御部２１への接続経路を形成する場合について説明する。
図６は、ＵＳＢポート３２から画像処理制御部２１への接続経路の説明図である。
【００５４】
ＵＳＢハブ４３のＵＳＢＵｐ２とＵＳＢＤｏｗｎ２とが接続されると、図６に示すように、ＵＳＢポート３２と画像処理制御部２１とが接続される。実施例３で説明したように、ＵＳＢポート３２から無線ＬＡＮモジュール３１への接続経路を形成する場合以外は、通常、本実施例のような接続経路が形成されている。これにより、ＵＳＢポート３２に、ＵＳＢホスト機能を有するＰＣ２００を接続することで、ＰＣ２００の表示画像情報をＵＳＢによって転送し、プロジェクター１に投写させる機能（「ＵＳＢディスプレイ機能」と呼ぶ。）を実現することが可能となる。
【００５５】
上述した実施形態（実施例１、実施例２、実施例３、実施例４）によれば、以下の効果が得られる。
（１）プロジェクター１の無線ＬＡＮモジュール３１は、ＵＳＢデバイスであり、ＰＣ１００等の第１の外部機器と無線ＬＡＮを介して通信を行う。メディアプロセッサー２３および画像処理制御部２１は、それぞれＵＳＢホスト機能を有している。ＵＳＢスイッチ４１は、無線ＬＡＮモジュール３１とメディアプロセッサー２３を接続する状態と、無線ＬＡＮモジュール３１と画像処理制御部２１を接続する状態とを切り替えることができる。これにより、メディアプロセッサー２３と画像処理制御部２１とは、それぞれ、ＵＳＢスイッチ４１を切り替えることで、無線ＬＡＮモジュール３１をＵＳＢにより通信制御して、ＰＣ１００と無線通信することが可能になる。よって、画像処理制御部２１は、メディアプロセッサー２３を介することなく、無線ＬＡＮモジュール３１を制御することが可能であるため、ワイヤレスディスプレイ機能を搭載しない既存のプロジェクターが備える無線ＬＡＮモジュール３１の制御機能（手順）を転用することができる。さらに、メディアプロセッサー２３についても、画像処理制御部２１が無線ＬＡＮモジュール３１を通信制御する際に、間に入って介在して制御する必要がなく、介在して制御するための制御機能（手順）を備えなくてもよいため、有益である。
【００５６】
（２）プロジェクター１において、画像処理制御部２１と無線ＬＡＮモジュール３１とがＵＳＢスイッチ４１を介して接続されている際、メディアプロセッサー２３は、無線ＬＡＮモジュール３１と接続されていない。よって、メディアプロセッサー２３の動作を停止（休止）することが可能になる。これによって、消費電力を低減することができるため、有益である。
【００５７】
（３）プロジェクター１は、ＵＳＢホスト機能を有するＰＣ２００を接続可能なＵＳＢポート３２を有している。ＵＳＢポート３２は、ＵＳＢハブ４３およびＵＳＢスイッチ４１を介して、無線ＬＡＮモジュール３１に接続することができる。これにより、ＰＣ２００等の第２の外部機器をホストとして、ＵＳＢポート３２から、無線ＬＡＮモジュール３１にアクセスすることが可能となり、ＰＣ２００から、無線ＬＡＮモジュール３１の出荷国別設定記憶部３１ａの設定情報を書き換えることが可能になる。よって、プロジェクター１の製造工程において、製品を組み立てた後でも、設定情報を設定したり変更したりすることができるため、利便性が向上する。また、出荷後のサービス現場や、ユーザーの手元においても、設定情報を設定したり変更したりすることが可能である。なお、出荷国別設定記憶部３１ａの設定情報に限らず、無線ＬＡＮモジュール３１のその他の設定情報を設定したり変更したりすることも可能である。また、ＵＳＢポート３２は、通常は、ＵＳＢディスプレイ機能において使用される標準のＵＳＢポートであるので、新たなＵＳＢポートを設けなくてもよい。なお、別途ＵＳＢポートを設けてもかまわない。
【００５８】
（４）プロジェクター１の無線ＬＡＮモジュール３１は、無線のネットワークを介してＰＣ１００等の第１の外部機器と通信が可能である。本実施形態では、ＷｉＤｉやＭｉｒａｃａｓｔといった規格に対応したＰＣ１００との間で、無線による画像情報の受信を行い、受信した画像を投写することができる。つまり、ワイヤレスディスプレイを実現することが可能である。また、通常の無線ＬＡＮ通信（ＷｉＦｉ）を用いて、プロジェクター１を制御したり、画像を投写したりすることも可能である。また、スマートフォンやタブレットＰＣなどからＷｉＦｉによって情報を受信し、画像投写を行うことも可能であるため、利便性が高い。
【００５９】
なお、上述した実施形態に限定されず、種々の変更や改良等を加えて実施することが可能である。変形例を以下に述べる。
【００６０】
（変形例１）上記実施形態では、プロジェクター１は、ＵＳＢハブ４３を有した構成としているが、ＵＳＢハブ４３の代わりに第２のＵＳＢスイッチ（図示せず）を有した構成としてもよい。
【００６１】
（変形例２）上記実施形態では、プロジェクター１は、複数の通信制御部として、画像処理制御部２１およびメディアプロセッサー２３の２つのプロセッサーを備えるものとしたが、通信制御部は２つに限定するものではない。通信制御部は、３つ以上であってもよい。
【００６２】
（変形例３）上記実施形態では、画像処理制御部２１およびメディアプロセッサー２３が通信制御するのは、無線ＬＡＮモジュール３１としたが、無線ＬＡＮに限定するものではなく、他の通信手段を用いてもよい。
【００６３】
（変形例４）上記実施形態では、画像処理制御部２１の制御部２１ｂが、ＵＳＢスイッチ４１の切り替え制御を行うものとしたが、他のプロセッサーが、ＵＳＢスイッチ４１の切り替え制御を行ってもよい。
【００６４】
（変形例５）上記実施形態では、ＰＣ１００およびＰＣ２００は、パーソナルコンピューターとしているが、これに限定するものではない。ＰＣ１００は、ＷｉＤｉやＭｉｒａｃａｓｔといったワイヤレスディスプレイ規格に対応した電子機器であってもよい。また、ＰＣ２００は、ＵＳＢホスト機能を有している電子機器であってもよい。
【００６５】
（変形例６）上記実施形態では、画像表示装置としてプロジェクター１を例にして説明しているが、画像表示装置はプロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、テレビ受信機等に適用することも可能である。
【００６６】
（変形例７）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００６７】
（変形例８）上記実施形態では、プロジェクター１は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を光変調装置として用いることもできる。
【符号の説明】
【００６８】
１…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…画像情報入力部、２１…画像処理制御部、２１ａ…画像処理部、２１ｂ…制御部、２２…操作受付部、２３…メディアプロセッサー、３１…無線ＬＡＮモジュール、３１ａ…出荷国別設定記憶部、３２…ＵＳＢポート、４１…ＵＳＢスイッチ、４３…ＵＳＢハブ、１００，２００…ＰＣ、Ｓ…投写面。
【図１】
2015032939.tif 000003
【図２】
2015032939.tif 000004
【図３】
2015032939.tif 000005
【図４】
2015032939.tif 000006
【図５】
2015032939.tif 000007
【図６】
2015032939.tif 000008